【手続補正書】
【提出日】平成17年4月15日(2005.4.15)
【手続補正１】
【補正対象書類名】特許請求の範囲
【補正対象項目名】全文
【補正方法】変更
【補正の内容】
【特許請求の範囲】
【請求項１】
装置において、リソース許可を要求する方法であって、
セッションの１つ以上のＩＰメディア・フローについてのバインド情報を含む１つ以上のＰＤＰコンテキスト要求を送信するステップを含み、前記バインド情報が、許可トークンと、１つ以上のＩＰメディア・フロー識別子とを含む、方法。
【請求項２】
請求項１記載の方法において、前記１つ以上のＩＰメディア・フロー識別子は、前記許可トークンと組み合わせて、前記１つ以上のＩＰメディア・フローを特定する、方法。
【請求項３】
請求項１記載の方法において、前記装置はユーザ機器であり、前記１つ以上のＩＰメディア・フロー識別子は、前記ユーザ機器およびＰ−ＣＳＣＦ／ＰＣＦにアクセス可能なＳＤＰ記述におけるフローの順序を参照する、方法。
【請求項４】
請求項１記載の方法において、各ＰＤＰコンテキスト要求は、ＰＤＰコンテキスト活性化要求またはＰＤＰコンテキスト変更要求である、方法。
【請求項５】
コンピュータ実行可能命令がエンコードされたコンピュータ読み取り可能媒体であって、これによってプログラムされたコンピュータに、請求項１記載の方法を実行させる、コンピュータ読み取り可能媒体。
【請求項６】
ネットワーク・ノードにおいて、リソースを許可する方法であって、セッションの１つ以上のＩＰメディア・フローについてのバインド情報を処理するステップを含み、前記バインド情報が、許可トークンと、１つ以上のＩＰメディア・フロー識別子とを含む、方法。
【請求項７】
請求項６記載の方法において、前記１つ以上のＩＰメディア・フロー識別子は、前記許可トークンと組み合わせて、前記１つ以上のＩＰメディア・フローを特定する、方法。
【請求項８】
請求項６記載の方法において、前記ネットワーク・ノードはＰ−ＣＳＣＦ／ＰＣＦを備え、前記１つ以上のＩＰメディア・フロー識別子は、前記Ｐ−ＣＳＣＦ／ＰＣＦおよびユーザ機器にアクセス可能なＳＤＰ記述におけるフローの順序を参照する、方法。
【請求項９】
請求項６記載の方法において、前記処理するステップは、サービスに基づく個別ポリシー判断に応じて前記１つ以上のＩＰメディア・フローを許可することを含む、方法。
【請求項１０】
コンピュータ実行可能命令がエンコードされたコンピュータ読み取り可能媒体であって、これによってプログラムされたコンピュータに、請求項６記載の方法を実行させる、コンピュータ読み取り可能媒体。
【請求項１１】
コンピュータ実行可能命令がエンコードされ、これによってプログラムされたユーザ機器に、リソース許可および配分を要求する方法を実行させる、コンピュータ読み取り可能媒体であって、前記方法が、
メディア許可トークンを受信するステップと、
セッションの１つ以上のメディア・フローの各々を許可するための前記メディア許可トークンを含むコンテキスト活性化要求を送信するステップと、
を含み、前記メディア許可トークンと、複数のメディア・フロー識別子からのメディア・フロー識別子との組み合わせが、前記セッションの複数のメディア・フローの中からメディア・フローを一意に特定するのに十分である、コンピュータ読み取り可能媒体。
【請求項１２】
請求項１１記載のコンピュータ読み取り可能媒体において、前記複数のメディア・フロー識別子は、セッション記述におけるフローの順序を参照し、ゲートウェイ・ノードが、サービスに基づく個別ポリシー判断に応じて前記１つ以上のメディア・フローを許可する、コンピュータ読み取り可能媒体。
【請求項１３】
請求項１１記載のコンピュータ読み取り可能媒体において、前記方法は、更に、
第２メディア許可トークンを受信するステップと、
前記１つ以上のメディア・フローの許可を変更するため、前記第２メディア許可トークンを含むコンテキスト変更要求を送信するステップと、
を含む、方法。
【請求項１４】
コンピュータ実行可能命令がエンコードされ、これによってプログラムされたネットワーク・ノードに、リソースを許可し配分する方法を実行させる、コンピュータ読み取り可能媒体であって、前記方法が、
セッションの１つ以上のメディア・フローの各々を許可するためのメディア許可トークンを含むコンテキスト要求を受信するステップであって、前記メディア許可トークンと、複数のメディア・フロー識別子からのメディア・フロー識別子との組み合わせが、前記セッションの複数のメディア・フローの中からメディア・フローを一意に特定するのに十分である、ステップと、
前記メディア許可トークンが示すポリシー情報を要求するステップと、
を含むコンピュータ読み取り可能媒体。
【請求項１５】
請求項１４記載のコンピュータ読み取り可能媒体において、前記複数のメディア・フロー識別子は、セッション記述におけるフローの順序を参照する、方法。
【請求項１６】
請求項１４記載のコンピュータ読み取り可能媒体において、前記方法は、更に、
サービスに基づく個別ポリシー判断に応じて、前記１つ以上のメディア・フローを許可するステップを含む、方法。
【請求項１７】
コンピュータ実行可能命令がエンコードされ、これによってプログラムされたユーザ機器に、セッションの１つ以上のパケット・メディア・フローについてリソースの許可および配分を要求する方法を実行させる、コンピュータ読み取り可能媒体であって、前記方法が、
セッション・プロトコルの通知の間に、許可トークンおよびパケット・メディア・フロー情報を受信するステップであって、前記パケット・メディア・フロー情報が、ネットワーク・ノードおよび前記ユーザ機器にアクセス可能である、ステップと、
セッションの１つ以上のパケット・メディア・フローを許可するためにバインド情報を含む１つ以上のメッセージを送信するステップであって、前記バインド情報が前記許可トークンを含むことにより、１つ以上のメディア・フロー識別子の各々を、前記許可トークンに関して解釈して、前記セッションのパケット・メディア・フローを特定する、ステップと、
を含む、コンピュータ読み取り可能媒体。
【請求項１８】
請求項１７記載のコンピュータ読み取り可能媒体において、前記ユーザ機器はセルラ・デバイスであり、前記ネットワーク・ノードはＧＧＳＮから成り、前記１つ以上のメッセージの各々は、ＰＤＰコンテキスト活性化または変更要求である、コンピュータ読み取り可能媒体。
【請求項１９】
請求項１７記載のコンピュータ読み取り可能媒体において、前記１つ以上のパケット・メディア・フローはＩＰメディア・フローである、コンピュータ読み取り可能媒体。
【請求項２０】
請求項１７記載のコンピュータ読み取り可能媒体において、前記ＳＤＰ記述は、前記パケット・メディア・フロー情報を含み、前記１つ以上のパケット・メディア・フロー識別子は、前記ＳＤＰ記述におけるメディアの順序を参照する、コンピュータ読み取り可能媒体。
【請求項２１】
請求項１７記載のコンピュータ読み取り可能媒体において、前記セッション・プロトコルはＳＩＰであり、Ｐ−ＣＳＣＦのＰＣＦが前記許可トークンを生成する、コンピュータ読み取り可能媒体。
【請求項２２】
請求項１７記載のコンピュータ読み取り可能媒体において、前記ユーザ機器は、単一のメッセージを送信して、前記セッションの全てのパケット・メディア・フローについてのリソース許可および配分を要求する、コンピュータ読み取り可能媒体。
【請求項２３】
コンピュータ実行可能命令がエンコードされ、これによってプログラムされたネットワーク・ノードに、セッションの１つ以上のパケット・メディア・フローに対してリソースを許可および配分する方法を実行させる、コンピュータ読み取り可能媒体であって、前記方法が、
セッション・プロトコルの通知の間に、許可トークンおよびパケット・メディア・フロー情報を送信するステップであって、前記パケット・メディア・フロー情報が、前記ネットワーク・ノードおよびユーザ機器にアクセス可能である、ステップと、
セッションの１つ以上のパケット・メディア・フローを許可するためにバインド情報を含む１つ以上のメッセージを処理するステップであって、前記バインド情報が前記許可トークンを含み、前記処理が、１つ以上のパケット・メディア・フロー識別子の各々を前記許可トークンに関して解釈して、前記セッションのパケット・メディア・フローを特定することを含む、ステップと、
を備えたコンピュータ読み取り可能媒体。
【請求項２４】
請求項２３記載のコンピュータ読み取り可能媒体において、前記ユーザ機器はセルラ・デバイスであり、前記ネットワーク・ノードはＧＧＳＮから成り、前記１つ以上のパケット・メディア・フローはＩＰメディア・フローである、コンピュータ読み取り可能媒体。
【請求項２５】
請求項２３記載のコンピュータ読み取り可能媒体において、ＳＤＰ記述が前記パケット・メディア・フロー情報を含み、前記１つ以上のメディア・フロー識別子が前記ＳＤＰ記述におけるメディアの順序を参照する、コンピュータ読み取り可能媒体。
【請求項２６】
請求項２３記載のコンピュータ読み取り可能媒体において、前記セッション・プロトコルはＳＩＰであり、Ｐ−ＣＳＣＦのＰＣＦが前記許可トークンを生成する、コンピュータ読み取り可能媒体。
【請求項２７】
請求項２３記載のコンピュータ読み取り可能媒体において、前記ネットワーク・ノードは、前記セッションの全てのパケット・メディア・フローに対するリソースの許可および配分を要求する単一のメッセージを処理する、コンピュータ読み取り可能媒体。
【請求項２８】
請求項２３記載のコンピュータ読み取り可能媒体において、前記方法が、更に、
前記許可トークンが示すポリシー情報を要求するステップを含む、コンピュータ読み取り可能媒体。